(57)【要約】【課題】複数部の支持材にて器具を壁面に強固に固定する際、壁面と器具との距離が、施工現場により異なる場合であっても、支持部で微調整が可能で、かつ意匠性に優れた支持材の取付構造を提供する。【解決手段】支持部により壁面に器具を固定する支持材の取付構造において、予め壁面に内周部と外周部に互いに逆方向のねじ加工を施したナット状の回動可能な取付金具を取付け、前記支持材を前記取付金具の内周ねじ部に螺合し、かつ、その取付金具の外周ねじ部とは逆方向の内周ねじ加工を施した袋ナットを支持材に螺合し、さらに取付金具の外周ねじ部と同一方向に内周部にねじ加工を施したカバーを取付金具に螺合し、そのカバーを壁面に圧接して固定したことを特徴とする。【選択図】  図１
2004255095.tif 000002
【特許請求の範囲】
【請求項１】
支持部により壁面に器具を固定する支持材の取付構造において、予め壁面に内周部と外周部に互いに逆方向のねじ加工を施したナット状の回動可能な取付金具を取付け、前記支持材を前記取付金具の内周ねじ部に螺合し、かつ、その取付金具の外周ねじ部とは逆方向の内周ねじ加工を施した袋ナットを支持材に螺合し、さらに取付金具の外周ねじ部と同一方向に内周部にねじ加工を施したカバーを取付金具に螺合し、そのカバーを壁面に圧接して固定したことを特徴とする支持材の取付構造。
【請求項２】
前記取付金具内に螺合する前記支持材の壁面側端部と取付金具とに隙間を設け、前後方向の位置を調節可能としたことを特徴とする請求項１に記載の支持材の取付け構造。
【発明の詳細な説明】
【０００１】
【発明の属する技術分野】
本発明は、浴室やシャワールームなどに設置される設備器具の支持材の取付構造に関する。
【０００２】
【従来の技術】
従来、浴室やシャワールームなどに設置される設備器具の取付構造として、図７に示すように、壁面３１に取付けられた袋ナット状の取付金具３２の内周ねじ部３３に支持材３４を螺合接続して、その取付金具３２の外周ねじ部３５にカバー３６を螺合接続するようにしたものがある。
【０００３】
しかしながら、この場合、器具を取付ける際、取付金具３２を支持材３４に圧接させ締付け固定、つまり壁面３１に突き合せるように固定するため、壁面３１から支持材３４までの距離が常に固定されている。
特に、図７に示すような手すりのように、取付強度を必要とする器具の場合、取付金具３２と支持材３４を強固に圧接させ固定する必要があるが、壁面３１に段差があったりして取付面が面一でない場合、その段差の吸収が難しいため、結果として器具を取付けた際、壁面３１との距離が一定とならず意匠性を損ねてしまう。
このように、取付金具３２を支持材３４に圧接して固定する場合、器具と壁面３１との距離が一定とならなかったり、距離を一定にしようとして取付強度の低下を招くおそれがある。
【０００４】
これを防ぐため、支持材３４と壁面３１との間にスペーサーを設けるものがある。しかしながら、壁面３１にスペーサーが付くことによって意匠性が低下し、また、決められた厚さのスペーサーでは、現場での微妙な器具と壁面３１との距離の調整ができなかった。
【０００５】
【発明が解決しようとする課題】
そこで、本発明では上記の問題点を解決するため、複数部の支持材にて器具を壁面に強固に固定する際、壁面と器具との距離が、施工現場により異なる場合であっても、支持部で微調整が可能で、かつ意匠性に優れた支持材の取付構造を提供するものである。
【０００６】
【課題を解決するための手段】
本発明の請求項１では、支持部により壁面に器具を固定する支持材の取付構造において、予め壁面に内周部と外周部に互いに逆方向のねじ加工を施したナット状の回動可能な取付金具を取付け、前記支持材を前記取付金具の内周ねじ部に螺合し、かつ、その取付金具の外周ねじ部とは逆方向の内周ねじ加工を施した袋ナットを支持材に螺合し、さらに取付金具の外周ねじ部と同一方向に内周部にねじ加工を施したカバーを取付金具に螺合し、そのカバーを壁面に圧接して固定したことを特徴とする。
【０００７】
本発明によれば、取付金具に袋ナットを押し当て固定することにより、取付金具の緩みを防ぎ、また、取付金具の外周ねじ部にカバーを螺合接続し、壁面に押し当てて固定することにより、器具を強固に固定することができるため、器具と壁面の距離の微調整をしながら支持脚の取付けができ、かつ強度を有する確実な器具の固定が可能となる。
また、取付金具の内周部のねじと外周部のねじが互いに逆方向のねじであるため、支持脚のカバーを締め付ける際、取付金具と支持材とのねじ接続部の緩みを招くこともない。
また、カバーにより取付金具や支持材を隠蔽し、壁面へ押接しているので、壁面との間に隙間もなく美観を損なうこともないため、意匠性も優れた支持材の取付構造を提供することが可能となる。
【０００８】
請求項２では、取付金具内に螺合する前記支持材の壁面側端部と取付金具とに隙間を設け、前後方向の位置を調節可能としたことを特徴とする。
【０００９】
本発明によれば、取付金具と支持材との螺合接続のねじ込み深さにより、器具と壁面との距離を微調整することができる。特に、本発明のようにねじの締付けにより、器具と壁面との距離の微調整をしているため、施工性が悪くなったりすることもなく、事前準備も不要で現場で臨機応変に対応することができる。
【００１０】
【発明の実施の形態】
以下に図面を参照して本発明をより具体的に説明する。
図１は本発明の支持材を用いたシャワー装置の側部断面図で図１（Ｂ）は図１（Ａ）のＰ部拡大図、図２は本発明の支持材を用いたシャワー装置の側面図、図３は本発明の取付金具部分の分解斜視図、図４は本発明の取付金具を壁面へ固定する状態を示した断面図、図５は本発明の取付金具にカバーを取付ける状態を示した参考図、図６は本発明の取付金具を用いたシャワー装置を壁面に取付ける状態を示す参考図である。
【００１１】
本発明の支持材を用いた図１のシャワー装置１においては、シャワー装置本体１６下部に給水用２と給湯用３の脚があり、その上部に固定用の支持材である支持脚４がいずれも縦並びに配置されている。
支持脚４は、図１及び図３に示すように壁面５側に発泡パッキン６の付いた座金７を取付け、座金７とブッシュ８の間にナット状の取付金具９を挿通し、さらに円筒状のブッシュ８がばね座金１０を使ってねじ１１にて壁面５へ固定されている。ブッシュ８はその側面に円形のつば部１２を備えており、ナット状の取付金具９の底面には、図４に示すように前記ブッシュ８の円筒部の外径よりも大きく、円形のつば部１２の外径よりも寸法の小さな穴加工が施されている。これにより、ブッシュ８をねじ１１にて壁面５に固定した際、取付金具９は、ブッシュ８のつば部１２に引っ掛かるため、抜け落ちることがなく、また、回動可能でもある。図５に示すように、この回動可能に取付けられた取付金具９には、その内周ねじ部１３と外周ねじ部１４に互いに逆方向のねじ加工が施されており、外周ねじ部１４には工具係りのための面取り部２０も設けられている。
【００１２】
シャワー装置本体１６に取付けられた支持材である支持脚４のパイプ部には、その外周にねじ加工が施されており、これを前述の回動可能に壁固定された取付金具９の内周ねじ部１３に螺合接続して取付けを行う。この時、支持脚４のパイプの螺合接続のねじ込み深さにより、シャワー装置１と壁面５との距離を容易に調節することができる。
【００１３】
次に、図４から図６を用い、取付構造について説明する。
この支持脚４のパイプ部には、予め内周部にねじ加工の施してあるカバー１７が挿通されており、パイプの外周に加工されたねじ部２１には、袋ナット１８が取付けられている。前述の支持脚４のパイプ部を取付金具９にシャワー装置本体１６と壁面５との距離が一定となるよう調節しながら螺合接続した後、予めパイプのねじ部２１に取付けられている袋ナット１８を取付金具９に強く押し当てるように回転させて固定する。さらに支持脚４のパイプ部に挿通しているカバー１７内周のねじ部を取付金具９外周ねじ部１４に螺合接続し、カバー１７が壁面５に強く押し当たるまで回転させて固定する。ここで、取付金具９の内周ねじ部１３と外周ねじ部１４は、互いに逆方向のねじであるため、袋ナット１８を取付金具９に押し当てるように回転して固定した後、カバー１７を取付金具９に螺合接続しても取付金具９と支持脚４のパイプの接続が緩むことなく、締付け強度を維持することが可能である。また、ここでは、カバー１７は、意匠性を考慮して支持脚４のパイプのねじ部を隠すことのできる最小限の寸法長さに抑えてあり、シャワー装置１と壁面５との距離をできるだけ少なくするため、袋ナット１８は、その外周の面取り部分を長くして締付けを行う際の工具の掛かり代を確保している。
【００１４】
一方、給水用２と給湯用３の脚には、止水栓２２があり、その操作性と意匠性を考慮すると、向きはある程度一定方向に取付ける必要がある。これにより壁面５へのねじ込み深さもある程度制約を受け、現場によりばらつく可能性がある。また、取付ける壁面５が面一でなかったりして、給水用２・給湯用３の脚を取付ける部分の壁面５と支持脚４を取付ける部分の壁面５に段差があることも予想される。
このような場合でも、支持脚４のパイプと取付金具９の螺合接続部のねじ込み深さの調整により、シャワー装置１を壁面に対して、一定の距離で取付けることが可能となる。
【００１５】
また、ブッシュ８の円筒部の外径寸法に対し、取付金具９底面に加工された穴径寸法を大きくすればするほど、取付金具９の平面方向の移動可能距離が大きくなるため、支持脚４の平面方向のずれに関しても取付誤差等を吸収することができ、シャワー装置１を垂直線状に設置することが可能となる。
本発明の支持脚４を用いたシャワー装置１は、下部に位置する給水用２と給湯用３の脚からシャワー装置本体１６内に湯と水を取り入れ、本体１６最下部にある温度調節用ハンドル２３の位置に応じ使用者の所望の温度に温度調節部で混合された後、本体１６内の通水路を上昇し、各吐水口毎の操作ハンドル２４によりシャワー吐水の開閉を行うように構成されている。つまり、図１及び図２に示すように種々の吐水形態を有する棒状のシャワー装置であり、構造がシンプルが故に、より正確な垂直状態での施工が必要となる。従って、本発明の支持材を用いることにより、意匠性にも優れ、かつ施工が容易な支持材を提供することが可能となる。
【００１６】
また、メンテナンス等でシャワー装置１を壁面５から取り外す際は、支持脚４のカバー１７を外し、袋ナット１８を取付金具９から遠ざかる方向に回した後、取付金具９を回して支持脚４のパイプから取り外す。さらに、シャワー装置１下部の給水用２と給湯用３の脚部の袋ナットを緩めて取り外すことが可能である。
【００１７】
【発明の効果】
本発明の請求項１では、支持部により壁面に器具を固定する支持材の取付構造において、予め壁面に内周部と外周部に互いに逆方向のねじ加工を施したナット状の回動可能な取付金具を取付け、前記支持材を前記取付金具の内周ねじ部に螺合し、かつ、その取付金具の外周ねじ部とは逆方向の内周ねじ加工を施した袋ナットを支持材に螺合し、さらに取付金具の外周ねじ部と同一方向に内周部にねじ加工を施したカバーを取付金具に螺合し、そのカバーを壁面に圧接して固定したことを特徴とする。
本発明によれば、取付金具に袋ナットを押し当て固定することにより、取付金具の緩みを防ぎ、また、取付金具の外周ねじ部にカバーを螺合接続し、壁面に押し当てて固定することにより、器具を強固に固定することができるため、器具と壁面の距離の微調整をしながら支持脚の取付けができ、かつ強度を有する確実な器具の固定が可能となる。
また、取付金具の内周部のねじと外周部のねじが互いに逆方向のねじであるため、支持脚のカバーを締め付ける際、取付金具と支持材とのねじ接続部の緩みを招くこともない。
また、カバーにより取付金具や支持材を隠蔽し、壁面へ押接しているので、壁面との間に隙間もなく美観を損なうこともないため、意匠性も優れた支持材の取付構造を提供することが可能となる。
請求項２では、取付金具内に挿通する前記支持材の壁面側端部とに隙間を設け、前後方向の位置を調節可能としたことを特徴とする。
本発明によれば、取付金具と支持材との螺合接続のねじ込み深さにより、器具と壁面との距離を微調整することができる。特に、本発明のようにねじの締付けにより、器具と壁面との距離の微調整をしているため、施工性が悪くなったりすることもなく、事前準備も不要で現場で臨機応変に対応することができる。
【図面の簡単な説明】
【図１】本発明の支持部材を用いたシャワー装置の側部断面図。
【図２】本発明の支持部材を用いたシャワー装置の側面図。
【図３】本発明の取付金具部分の分解斜視図。
【図４】本発明の取付金具を壁面へ固定する状態を示した断面図。
【図５】本発明の取付金具にカバーを取付ける状態を示した参考図。
【図６】本発明の取付金具を用いたシャワー装置を壁面に取付ける状態を示す参考図。
【図７】従来の支持材の取付構造を示す断面図。
【符号の説明】
１：シャワー装置
２：給水脚
３：給湯脚
４：支持脚
５：壁面
８：ブッシュ
９：取付金具
１１：ねじ
１２：つば部
１３：内周ねじ部
１４：外周ねじ部
１６：シャワー装置本体
１７：カバー
１８：袋ナット
【図１】
2004255095.tif 000003
【図２】
2004255095.tif 000004
【図３】
2004255095.tif 000005
【図４】
2004255095.tif 000006
【図５】
2004255095.tif 000007
【図６】
2004255095.tif 000008
【図７】
2004255095.tif 000009